(57)【要約】【課題】プラスチックフィルムを基材とした積層体からなる、液体内容物を収納することのできる包装袋において、内容物成分の吸着、あるいは内容物への包装袋由来の成分の溶出を防止することができ、かつ耐衝撃性に優れる包装袋を提供することを課題とする。【解決手段】包装袋は、包装袋本体と保護テープとからなり、シーラント層は、いずれも低吸着性を有するシーラントであって、包装袋本体は、シーラント層同士が対向して重ねられ、胴部の周縁部が本体シール部としてシールされて製袋されており、包装袋本体の本体シール部は折り返されて、さらに外側シール層同士が対向して胴部とシールされており、保護テープは、折り返された本体シール部の外側シール層から始まって、周縁部の端面を覆い、さらに包装袋本体の胴部に達して、包装袋本体の外側シール層にシールされていることを特徴とする包装袋である。【選択図】図１
2019172280.tif 000002
【特許請求の範囲】
【請求項１】
液体内容物を収納可能な包装袋であって、
該包装袋は、包装袋本体と保護テープとからなり、
包装袋本体はプラスチックフィルムを基材として、シーラント層を有する積層体からなり、
保護テープもまたプラスチックフィルムを基材として、シーラント層を有する積層体からなり、
該シーラント層は、いずれも低吸着性を有する低吸着シーラントであって、
該包装袋本体は、シーラント層同士が対向して重ねられ、包装袋本体の胴部の周縁部が本体シール部としてシールされて製袋されており、
該包装袋本体を構成する積層体の、シーラント層とは反対側の表面には、外側シール層が配置されており、
該包装袋本体の本体シール部は折り返されて、さらに外側シール層同士が対向して胴部とシールされており、
該保護テープのシーラント層は、外側シール層とシール可能であって、
該保護テープは、折り返された本体シール部の外側シール層から始まって、周縁部の端面を覆い、さらに包装袋本体の胴部に達して、包装袋本体の外側シール層にシールされていることを特徴とする包装袋。
【請求項２】
前記低吸着シーラントは、ポリエチレンテレフタレート樹脂、またはポリアクリルニトリル樹脂、または環状ポリオレフィン樹脂、またはエチレン−ビニルアルコール共重合樹脂のいずれか、またはそのうち複数を含んでなることを特徴とする、請求項１に記載の包装袋。
【請求項３】
前記低吸着シーラントは、延伸ポリエチレンテレフタレートフィルムに、部分的にレーザー光照射による非晶化を施したものであることを特徴とする、請求項１に記載の包装袋。
【請求項４】
前記包装袋は、その容量が１リットル〜１０リットルの範囲であることを特徴とする、請求項１〜請求項３のいずれかに記載の包装袋。
【請求項５】
前記包装袋本体には、口栓が設けられていることを特徴とする、請求項１〜請求項４のいずれかに記載の包装袋。
【発明の詳細な説明】
【技術分野】
【０００１】
本発明は、包装袋に関するものである。特に、プラスチックフィルムを基材とした積層体からなる、液体を収納することのできる包装袋であって、たとえば複合容器であるバッグインボックスの内袋などにも用いることができる、比較的大型の包装袋に関するものである。
【背景技術】
【０００２】
ここで言う、バッグインボックスと呼ばれる複合容器は、外側がダンボールケースの外装箱であって、内側にはプラスチックフィルムを基材としてなる内袋を有して、外装箱と内袋の２重構造となっており、ダンボールケースの外に出された口栓の注出口から、内袋に収納された内容物の注ぎ出しが可能な、比較的大型の液体容器である。たとえば、内容量が１リットル程度のものから、２０リットル、あるいはそれ以上といったものが可能であり実用化されている。
【０００３】
また、口栓には様々な形態のものがあり、内容物の液体の容易な注ぎ出しを可能にするほか、液だれ防止タイプ、小出しタイプ、繰り返しの開閉が容易なもの、高粘度の流体に対応可能なものなど用途に応じて適宜選択可能である。
【０００４】
内袋は、一般にプラスチックフィルムを基材として、シーラント層を有する積層体からなる包装袋であって、シーラント層以外がプラスチックフィルム単層で構成される場合のみならず、他のプラスチックフィルムや樹脂層、金属膜などとの積層体として、内容物による要求品質に応じた層構成や、材料設計が可能であることが特徴のひとつであって、様々な用途に広く用いられている。
【０００５】
たとえば、ポリエチレンフィルムを基材とする標準的なタイプのほか、積層体中にポリアミドフィルムを有して包装袋の耐衝撃性や機械的強度を増したもの、あるいはアルミニウム蒸着フィルムやアルミニウム箔層を有して、ガスバリア性能を付与したもの、また表面に無機化合物の蒸着層を設けたガスバリアフィルムを有して、ガスバリア性能を付与したものなどがある。
【０００６】
このような包装袋は、たとえば、食用油、ソース、コーヒー、ワインや酒、ミネラルウオーターなどの飲料、食品用途にも広く用いられており、バッグインボックスの内袋として好適に用いられている。
【０００７】
また、包装袋にプラスチックフィルムを基材とした積層体を用いる場合には、性能面でもコスト面などでも、ガラス瓶や缶、プラスチック製のボトルなどに比べて有利である場合が多い。
【０００８】
ほかにもたとえば、飲料、食品用途に限らず、液体洗剤、漂白剤、柔軟剤等のトイレタリー用品や、エンジンオイルなどの工業製品、また液体肥料など、液体、流体の内容物であれば、包装袋への充填・収納が容易に可能であり、注出口からの注ぎ出しもまた容易に可能である。
【０００９】
一般に包装袋は、内容物に関する情報を外側から可視に表示して、内容物を包装袋内部に収納し、外部環境から内容物を保護し、また保存することができる機能を有するものである。表示は最外層、あるいは包装容器外側から可視である層になされることが一般的であり、バッグインボックスの場合には、外側のダンボールケースに表示されることが多い
。
【００１０】
また、バッグインボックスの場合は、外装箱と内袋の２重構造になっていることから、次のような特徴を有する。すなわち、外装箱の耐衝撃性によって、輸送中の落下、振動など外部の衝撃からボックス自体および内容物を守ることができ、また外装箱の圧縮強度に優れる特性から、長期間の積み上げ保管にも適性を有している。加えて内袋は、プラスチック材料からなるために、液体容器としての適性を有している。
【００１１】
したがって、大容量の液体容器をバッグインボックスの構成で実現することが可能である。ただし、大容量の液体容器の場合、内容物の液体も容量に応じて重量が増すため、流通、在庫、輸送、販売、消費など荷扱いの各場面において、耐衝撃性の確保が重要で、内袋の耐衝撃性を確保することが重要である。
【００１２】
すなわち、内袋の十分な耐衝撃性によって、内容物の流通時、荷扱い時などの衝撃による破袋、それに伴う液漏れを防止することが必要であり、重要課題である。特に内袋のシール部分は、形状によって外部からの過度な衝撃や圧力などが加わる場合には、応力集中が起こりやすく、液漏れや破袋等の不具合を起こす恐れがある。
【００１３】
一方で、大容量のバッグインボックスにおいて、内容物の薬効成分の保持や、味や香りの保持を目的として、包装袋の内面に低吸着シーラントが用いられる場合がある。
【００１４】
あるいは、バッグインボックスの内容物として水を充填する場合にも用いられることがあるが、ポリエチレン樹脂による吸着、溶出、臭気の問題が指摘されている。すなわち、ポリエチレン樹脂そのものに由来する臭気の内容物への移行、成分の溶出が内容物に影響を与えるほか、ポリエチレン樹脂への内容物の成分の移行、包装袋外への飛散、などが問題とされている。
【００１５】
このような問題に対応して、特殊なプラスチックフィルム、もしくは樹脂からなる低吸着シーラントを用いることは可能である。しかしながら一般に低吸着シーラントは一般的な条件下ではシール強度が弱いとされ、外部からの衝撃や圧力を受けた際には、液漏れ、あるいは破袋のおそれがある。
【００１６】
特に大型の液体容器においては、内容物の自重も容量に比例して重くなるために、このシール部分にかかる圧力も大きくなり、その強度によっては、耐衝撃性の点で使いにくい材料となっている。
【００１７】
あるいは、積層体中にガスバリア層を設けて、積層体としての吸着性や移行性に対処する方法も考えられるが、内容物に直接触れるシーラント層として通常のシーラントを用いる場合には、低吸着シーラントとの差が出ることは避けられない。
【００１８】
特許文献１には、バッグインボックスの内袋に関して、耐衝撃性やガスバリア性を有する内袋の提案がなされているが、シーラントの溶着性、吸着性、あるいは内容物への溶出を考慮したものではなかった。
【先行技術文献】
【特許文献】
【００１９】
【特許文献１】特開２００８−１５００９５号公報
【発明の概要】
【発明が解決しようとする課題】
【００２０】
本発明は、このような状況に鑑みてなされたものであり、プラスチックフィルムを基材とした積層体からなる、液体内容物を収納することのできる包装袋において、内容物成分の吸着、あるいは内容物への包装袋由来の成分の溶出を防止することができ、かつ耐衝撃性に優れる包装袋を提供することを課題とする。
【課題を解決するための手段】
【００２１】
上記の課題を解決するための手段として、請求項１に記載の発明は、
液体内容物を収納可能な包装袋であって、
該包装袋は、包装袋本体と保護テープとからなり、
包装袋本体はプラスチックフィルムを基材として、シーラント層を有する積層体からなり、
保護テープもまたプラスチックフィルムを基材として、シーラント層を有する積層体からなり、
該シーラント層は、いずれも低吸着性を有する低吸着シーラントであって、
該包装袋本体は、シーラント層同士が対向して重ねられ、包装袋本体の胴部の周縁部が本体シール部としてシールされて製袋されており、
該包装袋本体を構成する積層体の、シーラント層とは反対側の表面には、外側シール層が配置されており、
該包装袋本体の本体シール部は折り返されて、さらに外側シール層同士が対向して胴部とシールされており、
該保護テープのシーラント層は、外側シール層とシール可能であって、
該保護テープは、折り返された本体シール部の外側シール層から始まって、周縁部の端面を覆い、さらに包装袋本体の胴部に達して、包装袋本体の外側シール層にシールされていることを特徴とする包装袋である。
【００２２】
また、請求項２に記載の発明は、
前記低吸着シーラントは、ポリエチレンテレフタレート樹脂、またはポリアクリルニトリル樹脂、または環状ポリオレフィン樹脂、またはエチレン−ビニルアルコール共重合樹脂のいずれか、またはそのうち複数を含んでなることを特徴とする、請求項１に記載の包装袋である。
【００２３】
また、請求項３に記載の発明は、
前記低吸着シーラントは、延伸ポリエチレンテレフタレートフィルムに、部分的にレーザー光照射による非晶化を施したものであることを特徴とする、請求項１に記載の包装袋である。
【００２４】
また、請求項４に記載の発明は、
前記包装袋は、その容量が１リットル〜１０リットルの範囲であることを特徴とする、請求項１〜請求項３のいずれかに記載の包装袋である。
【００２５】
また、請求項５に記載の発明は、
前記包装袋本体には、口栓が設けられていることを特徴とする、請求項１〜請求項４のいずれかに記載の包装袋である。
【発明の効果】
【００２６】
本発明によれば、プラスチックフィルムを基材とした積層体からなる、液体内容物を収納することのできる包装袋において、内容物成分の吸着、あるいは内容物への包装袋由来の成分の溶出を防止することができ、かつ耐衝撃性に優れる包装袋を提供することを課題とする。
【００２７】
特に請求項２に記載の発明によれば、シーラント層に、シール性を備え、かつ低吸着性を兼ね備えた材料を配することによって、プラスチックフィルムを基材とした積層体からなる、液体内容物を収納することのできる包装袋において、内容物成分の吸着、あるいは内容物への包装袋由来の成分の溶出を防止することができ、かつ耐衝撃性に優れる包装袋を提供することが可能である。これは、包装袋本体にも適用することができ、あるいは保護テープにも適用することが可能である。
【００２８】
特に請求項３に記載の発明によれば、包装袋の内容物の液体に接する層に、ポリエチレンテレフタレートフィルムを配することによって、プラスチックフィルムを基材とした積層体からなる、液体を収納することのできる液体用包装袋において、内容物成分の吸着、あるいは内容物への包装袋由来の成分の溶出を防止することができる。
【００２９】
加えて、レーザー光照射によって、ポリエチレンテレフタレートフィルムに部分的に非晶化部分を設けることにより、その部分にシール性を付与して、製袋を可能にすることができる。
【００３０】
したがってプラスチックフィルムを基材とした積層体からなり、耐衝撃性に優れる包装袋を提供することができる。これは、包装袋本体にも適用することができ、あるいは保護テープにも適用することが可能である。
【００３１】
特に請求項４に記載の発明によれば、プラスチックフィルムを基材とした積層体からなる、液体内容物を収納することのできる包装袋において、保護フィルムを用いることによって包装袋の胴部周縁部を折り返したシール部分、および包装袋の端面を効果的に補強して、耐衝撃性に優れる包装袋を提供することが可能となり、大型の液体用包装袋を実現することが可能である。
【００３２】
ちなみに、１リットル〜１０リットルサイズの比較的大型の液体容器は、通常のハンドリングにも適しており、一般的な消費者のニーズにも合致しており、商品として適切な容量の範囲をカバーすることが可能である。
【００３３】
特に請求項５に記載の発明によれば、密封性を損なうことなく、内容物の液体の取り出しが容易で、とくに小出しにしたり、繰り返しの開閉に優れ、より利便性のある包装袋を提供することができる。
【図面の簡単な説明】
【００３４】
【図１】図１は本発明に係る包装袋の、包装袋本体の構成を説明するための、部分断面模式図である。
【図２】図２は本発明に係る包装袋の、包装袋本体に対する保護テープによる補強を説明するための、途中段階の部分断面模式図である。
【図３】図３は本発明に係る包装袋の、包装袋本体に対する保護テープによる補強が完了した、実用段階の状態を説明するための部分断面模式図である。
【図４】図４は本発明に係る包装袋の、保護テープの積層体の層構成の実施態様のうちの構成例１を説明するための部分断面模式図である。
【図５】図５は本発明に係る包装袋の、保護テープの積層体の層構成の実施態様のうちの構成例２を説明するための部分断面模式図である。
【図６】図６は本発明に係る包装袋の、保護テープの積層体の層構成の実施態様のうちの構成例３を説明するための部分断面模式図である。
【図７】図７は本発明に係る包装袋の、保護テープの積層体の層構成の実施態様のうちの構成例４を説明するための部分断面模式図である。
【図８】図８は本発明に係る包装袋の、保護テープの積層体の層構成の実施態様のうちの構成例５を説明するための部分断面模式図である。
【図９】図９は本発明に係る包装袋の、保護テープの積層体の層構成の実施態様のうちの構成例６を説明するための部分断面模式図である。
【図１０】図１０は本発明に係る包装袋の、包装袋本体を構成する積層体の実施態様のうちの１番目の例を説明するための部分断面模式図である。
【図１１】図１１は本発明に係る包装袋の、包装袋本体を構成する積層体の実施態様のうちの２番目の例を説明するための部分断面模式図である。
【図１２】図１２は本発明に係る包装袋の、包装袋本体を構成する積層体の実施態様のうちの３番目の例を説明するための部分断面模式図である。
【図１３】図１３は本発明に係る包装袋の、包装袋本体を構成する積層体の実施態様のうちの４番目の例を説明するための部分断面模式図である。
【図１４】図１４は本発明に係る包装袋の、包装袋本体を構成する積層体の実施態様のうちの５番目の例を説明するための部分断面模式図である。
【図１５】図１５は本発明に係る包装袋の、包装袋本体を構成する積層体の実施態様のうちの６番目の例を説明するための部分断面模式図である。
【図１６】図１６は本発明に係る包装袋の、包装袋本体を構成する積層体の実施態様のうちの７番目の例を説明するための部分断面模式図である。
【図１７】図１７は本発明に係る包装袋の、包装袋本体を構成する積層体の実施態様のうちの８番目の例を説明するための部分断面模式図である。
【図１８】図１８は本発明に係る包装袋の、包装袋本体を構成する積層体の実施態様のうちの９番目の例を説明するための部分断面模式図である。
【発明を実施するための形態】
【００３５】
以下、本発明を図を参照しながら、更に詳しい説明を加える。ただし本発明は、ここに示す例にのみ限定されるものではない。本発明は、請求項によって限定されるものである。
【００３６】
図１は本発明に係る包装袋の、包装袋本体の構成を説明するための、部分断面模式図である。
【００３７】
本発明による包装袋（２０）は、包装袋本体（２１）と、保護テープ（５）とからなる。包装袋（２０）の包装袋本体（２１）は、プラスチックフィルムを基材として、シーラント層（２）を有する積層体（１０）からなる。
【００３８】
包装袋本体（２１）は、シーラント層（２）同士が対向して重ねられ、包装袋本体（２１）の周縁部が本体シール部（１２）としてシールされて密封され、製袋されている。たとえば、図１に示す例においては、本体シール部（１２）は、包装袋本体（２１）の胴部の両端部にあって、シールされている例である。
【００３９】
本発明において、内容物の液体（２３）に触れる側に配置されるシーラント層（２）は、低吸着シーラントを用いて構成されている。包装袋本体（２１）を構成する積層体（１０）の、シーラント層（２）とは反対側の表面、すなわち積層体（１０）の包装袋本体（２１）の外側になる面には、シール可能な外側シール層（１）が配置される。
【００４０】
保護テープ（５）もまた、プラスチックフィルムを保護テープ基材層（３）として、保護テープシーラント層（４）を有する積層体からなる。包装袋本体（２１）と保護テープ（５）の積層体の層構成、およびシーラント層などの構成材料は、包装袋本体（２１）と保護テープ（５）の、それぞれの機能を発揮する限りにおいて、同一でなくても構わない。
【００４１】
図２は本発明に係る包装袋の、包装袋本体に対する保護テープによる補強を説明するための、途中段階の部分断面模式図である。
【００４２】
保護テープ（５）は、包装袋本体（２１）の周縁部の本体シール部（１２）を、保護するためのテープであって、本体シール部（１２）の幅より広く本体シール部（１２）を覆って、シールされ、貼り合わせる。
【００４３】
このとき、図中矢印（Ａ）で示すように、包装袋本体（２１）の胴部の周縁部の、本体シール部（１２）は折り返されて、外側シール層（１）同士が対向して周縁部より内側の包装袋胴部表面とシールされている。
【００４４】
一方、保護テープシール層（４）は、外側シール層（１）とシール可能であって、保護テープ（５）は、折り返された本体シール部（１２）の外側シール部（７）から始まって、周縁部の端面（６）を覆い、さらに包装袋本体（２１）の胴部表面（８）に達して、包装袋本体（２１）の外側シール部（１）にシールすることができる。
【００４５】
ここで、前述の本体シール部（１２）の折り返し部分のシールと、保護テープ（５）の外側シール（１）とのシールは、逐次行なうこともでき、あるいは同時にシールすることもできる。
【００４６】
このシールによって、包装袋本体（２１）の周縁部の本体シール部（１２）は保護され、耐衝撃性に優れる包装袋（２０）とすることができる。
【００４７】
続いて、図中矢印（Ｂ）で示すように、反対側の胴部の周縁部の、本体シール部（１２）は、同様に折り返されて、シールされ、保護テープ（５）によって保護され、こちら側の辺においても耐衝撃性に優れる包装袋（２０）とすることができる。
【００４８】
図３は本発明に係る包装袋の、包装袋本体に対する保護テープによる補強が完了した、実用段階の状態を説明するための部分断面模式図である。
【００４９】
この状態においては、本発明による包装袋（２０）が実現した状態であって、両側の胴部の周縁部の、本体シール部（１２）は、いずれも折り返されて、シールされ、保護テープ（５）によって保護されている。
【００５０】
すなわち、保護テープ（５）は、折り返された本体シール部（１２）の外側シール部（７）から始まって、周縁部の端面（６）を覆い、さらに包装袋本体（２１）の胴部表面（８）に達してシールされており、この部分を保護して、包装袋（２０）の耐衝撃性向上に効果的である。
【００５１】
また、本発明による包装袋（２０）は、その容量が１リットル〜１０リットルの範囲の、大型の包装袋とすることができる。これは本発明による包装袋（２０）が、シール性を有するシーラント層（２）を用いることに加えて、本体シール部（１２）は全ての部分で、保護テープ（５）によって、包装袋本体（２１）の外側から、シールされて補強されているために、耐衝撃性や機械的強度に優れた大型の包装袋を実現することが可能なためである。
【００５２】
また、本発明による包装袋（２０）には、口栓を設けることができる。口栓を包装袋本体（２１）に設けることによって、内容物の液体（２３）を容易に注ぎ出すことが可能であり、利便性が高い包装袋（２０）を実現することが出来る。
【００５３】
また、口栓は様々な形態のものがあり、内容物の液体（２３）の容易な注ぎ出しを可能にするほか、液だれ防止タイプ、小出しタイプ、繰り返しの開閉が容易なもの、高粘度の流体に対応可能なものなど、用途に応じて適宜選択することができる。
【００５４】
次に、本発明に係る包装袋本体（２１）および保護テープ（５）に関して、その材料構成について順次説明を加える。
【００５５】
本発明は、プラスチックフィルムを基材として、シーラント層を有する積層体からなる包装袋である。ここで、基材とするプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００５６】
特にポリプロピレン、ポリエチレンテレフタレートを基材フィルムとする場合は、フィルム強度と価格においてより好ましい。また、積層体中にポリアミドフィルムを用いる場合には、耐突き刺し性や、耐衝撃性、機械強度に優れる。
【００５７】
また本発明において、その課題とするところは、プラスチックフィルムを基材とした積層体からなる、液体を収納することのできる液体用包装袋において、内容物成分の吸着、あるいは内容物への包装袋由来の成分の溶出を防止することができ、かつ耐衝撃性に優れる包装袋（２０）を提供することである。
【００５８】
したがって、本発明においては、包装袋の内容物の液体（２３）が触れる側は全て、低吸着材料、低吸着フィルムからなる層となるように配置する。加えて、包装袋の内容物の液体（２３）が触れる側は包装袋内側であるため、製袋や包装袋密封のためのシール性が必要である。ただし、このシール性は、包装袋内側全面ではなく、シールが必要な部分に選択的に付与するのでもよい。
【００５９】
また、口栓を設ける場合においても、少なくとも内容物の液体に接触する部分については、低吸着性を有する材料を用いることが、より好ましい。
【００６０】
従来、シーラント層（２）の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂等を用いていた。
【００６１】
しかしながら、これらの樹脂をシーラント層（２）に用いた場合には、包装袋の内容物由来の成分の吸着防止、あるいは内容物への包装袋由来の成分の溶出を防止することが困難であるために、本発明においては、低吸着シーラントとして、ポリエチレンテレフタレート樹脂、またはポリアクリルニトリル樹脂、または環状ポリオレフィン樹脂、またはエチレン−ビニルアルコール共重合樹脂のいずれか、またはそれらの内の複数を含んでなる低吸着シーラントを用いることができる。
【００６２】
特に低吸着シーラントとして、環状ポリオレフィン層を設けたり、あるいは一部を非晶化したポリエチレンテレフタレートフィルム層を設けることが、包装袋の内容物由来の成分の吸着防止、あるいは内容物の液体（２３）への包装袋由来の成分の溶出の防止に、より効果的である。
【００６３】
すなわち、シーラント層（２）に低吸着シーラントを用いることによって、内容物の液体（２３）の成分、たとえば薬効成分や香気成分の包装袋への移行を防止し、それらの効能、香気を損なわない包装袋とすることに効果的である。
【００６４】
環状ポリオレフィン層は、包装袋の内容物由来の成分の吸着、あるいは内容物の液体（２３）への包装袋由来の成分の溶出を防止することには効果的であり、シール性も有するが、シール適性、シール強度において、上記のポリオレフィン系ほかのシーラントに比べて劣る恐れがあって、本発明による保護テープ（５）の併用によって、より強固な包装袋（２０）とすることができる。
【００６５】
また特に、ポリエチレンテレフタレートフィルム層は、包装袋の内容物由来の成分の吸着、あるいは内容物の液体（２３）への包装袋由来の成分の溶出を防止することには効果的であるが、シール性に乏しいために、たとえばレーザー光の照射によって、シールが必要となる部分に選択的に照射して非晶化し、シール性を付与することが可能であり、好都合である。ここで言うシール性は、ヒートシールのほか、インパルスシール法などを適宜用いて行なってよい。
【００６６】
また、包装袋由来の成分の溶出に対しては、包装袋本体（２１）、あるいは保護テープ（５）に関してもそれらを構成する積層体中にガスバリア層を設けて、ガスバリア層より外側の層からの、包装袋由来の成分の内容物の液体（２３）への溶出を、遮断することができる。
【００６７】
ほかにも内容物の液体（２３）の保存性を向上させることなどを目的として、積層体（１０）中に、ガスバリア層を設けることができる。あるいは、紫外線や特定の波長の光を遮断する着色層などを設けることもできる。
【００６８】
たとえばガスバリア層としてアルミニウムなどの金属箔を用いることができる。あるいは、積層体（１０）中に無機化合物からなるガスバリア層を蒸着した、ガスバリアフィルムを設けることができる。いずれの場合においても、ガスバリア性の付与、内容物の保存性向上に有効である。
【００６９】
ガスバリアフィルムの場合には、用いられるプラスチックフィルムは、特段の限定を加えるものではないが、たとえばポリプロピレン、ポリエチレンテレフタレートをプラスチックフィルム基材とする場合は、フィルム強度と価格においてより好ましい。
【００７０】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【００７１】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。
【００７２】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。
【００７３】
このときコーティング剤にはシランモノマーを添加しておくことによってアンカーコー
ト層との密着性の向上を図ることができる。
【００７４】
無機化合物層は、真空蒸着法による塗膜のみでもガスバリア性を有するが、コーティング法による無機化合物層であるコーティング層を、真空蒸着法による無機化合物層である蒸着層に重ねて形成し、ガスバリア層とすることができる。
【００７５】
したがって、ガスバリアフィルムとしてより高いガスバリア性、耐湿性、耐水性を実現するとともに、外力による変形に耐えられる可撓性を有するため、包装袋としての適性も具備することができる。
【００７６】
またガスバリア層として、たとえばＳｉＯを用いる場合にはその被膜は透明であるために、積層体を構成する他の層も透明であれば、内容物を包装袋の外側から目で見ることが可能である。これらは、用途、目的、要求品質によって、金属箔などのガスバリア層などと、適宜使い分けをすればよい。
【００７７】
本発明による包装袋（２０）は、その容量が１リットル〜１０リットルの範囲の、大型の包装袋とすることができる。これは本発明による包装袋（２０）が、シール性を有するシーラント層を用いることに加えて、本体シール部は全ての部分で、保護テープによって、本体シール部の幅より広く本体シール部（１２）を覆って、シールされて補強されているために、耐衝撃性や機械的強度に優れ、大型の包装袋を実現することが可能なためである。
【００７８】
また必要に応じて、外側から見ることのできる包装袋の面には、印刷層を設けることができる。印刷層は、包装袋の内容物に関する表示や、意匠性を向上させるための絵柄やロゴマーク、あるいは流通や在庫管理のためのバーコードなど、商品として必要な情報を表示することを目的とする。印刷層を設ける代わりに、包装袋外側から、粘着層を有するフィルムあるいは紙のラベルを貼付するのでもよい。
【００７９】
印刷の基材としてプラスチックフィルムを用いることができ、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどの素材を製膜したものが使用でき、用途に応じて適宜選択される。特にポリプロピレン、ポリエチレンテレフタレートを基材フィルムとする場合は、フィルム強度と価格においてより好ましい。
【００８０】
ここで印刷方法および印刷インキにはとくに制約を設けるものではないが、既知の印刷方法、印刷材料の中からプラスチックフィルムへの印刷適性、色調などの意匠性、密着性、食品容器等の場合には安全性などを考慮すれば、目的に応じて適宜選択することができる。
【００８１】
たとえばグラビア印刷法、オフセット印刷法、グラビアオフセット印刷法、フレキソ印刷法、インクジェット印刷法、シルクスクリーン印刷法などから選択して用いることができる。中でもグラビア印刷法は、生産性や絵柄の高精細度において好ましく用いることができる。
【００８２】
次に、保護テープ（５）の材料構成について、構成例１〜構成例６の例を具体的に説明する。これらはいずれも本発明の包装袋において実用可能な構成例である。構成例１〜構成例６の６種類の例は、図４〜図９の６個の図にそれぞれ対応しており、それぞれの図を参照しながら、具体的な説明を加える。
【００８３】
(構成例１)
図４は本発明に係る包装袋の、保護テープの積層体の層構成の実施態様のうちの構成例１を説明するための部分断面模式図である。
【００８４】
包装袋本体とのシール面、すなわち保護テープシール層から順に、
ポリエチレン（３１）（厚さ１０μｍ〜１００μｍ）／ポリアミドフィルム（３２）（厚さ１５μｍ〜２５μｍ）／ポリアミドフィルム（３３）（厚さ１５μｍ〜２５μｍ）／無機化合物蒸着ポリエチレンテレフタレートフィルム（３４）（厚さ９μｍ〜２５μｍ）
である。
【００８５】
(構成例２)
図５は本発明に係る包装袋の、保護テープの積層体の層構成の実施態様のうちの構成例２を説明するための部分断面模式図である。
【００８６】
包装袋本体とのシール面、すなわち保護テープシール層から順に、
ポリエチレン（３１）（厚さ１０μｍ〜１００μｍ）／ポリアミドフィルム（３２）（厚さ１５μｍ〜２５μｍ）／無機化合物蒸着ポリエチレンテレフタレートフィルム（３４）（厚さ９μｍ〜２５μｍ）
である。
【００８７】
(構成例３)
図６は本発明に係る包装袋の、保護テープの積層体の層構成の実施態様のうちの構成例３を説明するための部分断面模式図である。
【００８８】
包装袋本体とのシール面、すなわち保護テープシール層から順に、
ポリエチレン（３１）（厚さ１０μｍ〜１００μｍ）／ポリアミドフィルム（３２）（厚さ１５μｍ〜２５μｍ）／ポリエチレンテレフタレートフィルム（３５）（厚さ９μｍ〜２５μｍ）
である。
【００８９】
(構成例４)
図７は本発明に係る包装袋の、保護テープの積層体の層構成の実施態様のうちの構成例４を説明するための部分断面模式図である。
【００９０】
包装袋本体とのシール面、すなわち保護テープシール層から順に、
ポリエチレン（３１）（厚さ１０μｍ〜１００μｍ）／ポリアミドフィルム（３２）（１５μｍ〜２５μｍ）／ポリアミドフィルム（３３）（厚さ１５μｍ〜２５μｍ）／環状ポリエチレン（３７）（厚さ９μｍ〜５０μｍ）
である。
【００９１】
(構成例５)
図８は本発明に係る包装袋の、保護テープの積層体の層構成の実施態様のうちの構成例５を説明するための部分断面模式図である。
【００９２】
包装袋本体液体とのシール面、すなわち保護テープシール層から順に、
ポリエチレン（３１）（厚さ１０μｍ〜１００μｍ）／ポリエチレンテレフタレートフィルム（３５）（厚さ９μｍ〜２５μｍ）
である。
【００９３】
(構成例６)
図９は本発明に係る包装袋の、保護テープの積層体の層構成の実施態様のうちの構成例６を説明するための部分断面模式図である。
【００９４】
包装袋本体とのシール面、すなわち保護テープシール層から順に、
ポリエチレン（３１）（厚さ１０μｍ〜１００μｍ）／無機化合物蒸着ポリエチレンテレフタレートフィルム（３４）（厚さ９μｍ〜２５μｍ）
である。
【００９５】
前述のように、保護テープ（５）の材料構成について、ここに示した構成例１〜構成例６は、本発明による保護テープ（５）の積層体の構成例の一部であって、これらはいずれも本発明の包装袋（２０）において実用可能な構成例である。
【００９６】
すなわち、本発明においては、保護テープ（５）もまた、包装袋本体（２１）と同様に、低吸着性に優れ、シーラント強度に優れ、また耐衝撃性にも優れた構成の積層体である。
【００９７】
したがって、本発明によれば、プラスチックフィルムを基材とした積層体からなる、液体を収納することのできる液体用包装袋において、内容物成分の吸着、あるいは内容物への包装袋由来の成分の溶出を防止することができ、かつ耐衝撃性に優れる包装袋を提供することが可能である。
【実施例】
【００９８】
以下本発明を、実施例、および比較例によって更に具体的な説明を加える。ただし本発明は、ここに示す例にのみ限定されるものではない。本発明は、請求項によって限定されるものである。
【００９９】
試験体：本発明による各実施例１〜実施例９、および各比較例１〜比較例９に示す層構成の積層体で包装袋本体を作成した。
【０１００】
内容物の液体：水を１リットル、６リットル、１０リットルの３水準で充填して、評価した。
【０１０１】
評価項目：低吸着性、および落下耐性である。落下耐性は、試験体の包装袋を１ｍの高さから落下させて評価した。
評価方法は下記のとおりである。
低吸着性：嗅覚による官能検査である。
落下耐性：目視による包装袋の破袋の有無、状態の観察である。
【０１０２】
＜実施例１＞
包装袋本体（２１）の積層体（１０）の層構成を、図１０に示す。包装袋（２０）全体の構成については図３に示す。
【０１０３】
層構成は内容物の液体側から順に、
無機化合物蒸着ポリエチレンテレフタレートフィルム（３４）（厚さ９μｍ〜２５μｍ）／ポリアミドフィルム（３３）（厚さ１５μｍ〜２５μｍ）／ポリアミドフィルム（３２）（厚さ１５μｍ〜２５μｍ）／ポリエチレン（３１）（厚さ１０μｍ〜１００μｍ）
である。
【０１０４】
なお、保護テープ（５）の貼り方は、本発明によるものであって、図３に示す位置である。
【０１０５】
また、無機化合物蒸着ポリエチレンテレフタレートフィルム（３４）は、無機化合物蒸着層（３８）をガスバリア層として有しており、ガスバリア層とは反対側の面への、レーザー光（４０）照射によって、一部に非晶化部分（４１）を有してシーラント層として有効である。
【０１０６】
この層構成は、内容物の液体（２３）に接する側に、無機化合物蒸着ポリエチレンテレフタレートフィルム（３４）を配して、包装袋本体（２１）の低吸着性を意図したものである。
【０１０７】
またレーザー光（４０）照射によるシール適性を付与し、また積層体（１０）中に２層のポリアミドフィルム（３３）、ポリアミドフィルム（３２）を配置し、さらに保護テープ（５）を図３の位置に貼ることによって、本体シール部（１２）の補強を行ない、耐衝撃性の向上を意図したものである。
【０１０８】
＜実施例２＞
包装袋本体（２１）の積層体（１０）の層構成を、図１１に示す。包装袋（２０）全体の構成については図３に示す。
【０１０９】
層構成は内容物の液体側から順に、
無機化合物蒸着ポリエチレンテレフタレートフィルム（３４）（厚さ９μｍ〜２５μｍ）／ポリアミドフィルム（３２）（厚さ１５μｍ〜２５μｍ）／ポリエチレン（３１）（厚さ１０μｍ〜１００μｍ）
である。
【０１１０】
なお、保護テープ（５）の貼り方は、本発明によるものであって、図３に示す位置である。
【０１１１】
また、無機化合物蒸着ポリエチレンテレフタレートフィルム（３４）は、無機化合物蒸着層（３８）をガスバリア層として有しており、ガスバリア層とは反対側の面への、レーザー光（４０）照射によって、一部に非晶化部分（４１）を有してシーラント層として有効である。
【０１１２】
この層構成は、内容物の液体（２３）に接する側に、無機化合物蒸着ポリエチレンテレフタレートフィルム（３４）を配して、包装袋本体（２１）の低吸着性を意図したものである。
【０１１３】
またレーザー光（４０）照射によるシール適性を付与し、また積層体（１０）中にポリアミドフィルム（３２）を配置し、さらに保護テープ（５）を図３の位置に貼ることによって、本体シール部（１２）の補強を行ない、耐衝撃性の向上を意図したものである。
【０１１４】
＜実施例３＞
包装袋本体（２１）の積層体（１０）の層構成を、図１２に示す。包装袋（２０）全体の構成については図３に示す。
【０１１５】
層構成は内容物の液体側から順に、
環状ポリエチレン（３７）（厚さ１０μｍ〜５０μｍ）／ポリアミドフィルム（３３）（厚さ１５μｍ〜２５μｍ）／ポリアミドフィルム（３２）（厚さ１５μｍ〜２５μｍ）／ポリエチレン（３１）（厚さ１０μｍ〜１００μｍ）
である。
【０１１６】
なお、保護テープ（５）の貼り方は、本発明によるものであって、図３に示す位置である。
【０１１７】
この層構成は、内容物の液体（２３）に接する側に環状ポリエチレン（３７）（厚さ１０μｍ〜５０μｍ）を配して、包装袋本体（２１）の低吸着性を意図したものである。
【０１１８】
また環状ポリエチレン（３７）はシール適性を有し、また積層体（１０）中に２層のポリアミドフィルム（３３）、（３２）を配置し、さらに保護テープ（５）を図３の位置に貼ることによって、本体シール部（１２）の補強を行ない、耐衝撃性の向上を意図したものである。
【０１１９】
＜実施例４＞
包装袋本体（２１）の積層体（１０）の層構成を、図１３に示す。包装袋（２０）全体の構成については図３に示す。
【０１２０】
層構成は内容物の液体側から順に、
ポリエチレンテレフタレートフィルム（３５）（厚さ９μｍ〜２５μｍ）／ポリアミドフィルム（３２）（厚さ１５μｍ〜２５μｍ）／ポリエチレン（３１）（厚さ１０μｍ〜１００μｍ）
である。
【０１２１】
なお、保護テープ（５）の貼り方は、本発明によるものであって、図３に示す位置である。
【０１２２】
また、ポリエチレンテレフタレートフィルム（３５）は、レーザー光（４０）照射によって、一部に非晶化部分（４１）を有してシーラント層として有効である。
【０１２３】
この層構成は、内容物の液体（２３）に接する側に、ポリエチレンテレフタレートフィルム（３５）を配して、包装袋本体（２１）の低吸着性を意図したものである。
【０１２４】
またレーザー光（４０）照射によるシール適性を付与し、また積層体（１０）中にポリアミドフィルム（３２）を配置し、さらに保護テープ（５）を図３の位置に貼ることによって、本体シール部（１２）の補強を行ない、比較的簡素な層構成において、耐衝撃性の向上を意図したものである。
【０１２５】
＜実施例５＞
包装袋本体（２１）の積層体（１０）の層構成を、図１４に示す。包装袋（２０）全体の構成については図３に示す。
【０１２６】
層構成は内容物の液体側から順に、
ポリエチレンテレフタレートフィルム（３５）（厚さ９μｍ〜２５μｍ）／ポリエチレン（３９）（厚さ１０μｍ〜１００μｍ）／空気層（４２）／ポリエチレン（３９）（厚さ１０μｍ〜１００μｍ）／ポリアミドフィルム（３２）（厚さ１５μｍ〜２５μｍ）／ポリエチレン（３１）（厚さ１０μｍ〜１００μｍ）
である。
【０１２７】
なお、保護テープ（５）の貼り方は、本発明によるものであって、図３に示す位置である。
【０１２８】
また、ポリエチレンテレフタレートフィルム（３５）は、レーザー光（４０）照射によって、一部に非晶化部分（４１）を有してシーラント層として有効である。
【０１２９】
この層構成は、内容物の液体（２３）に接する側に、ポリエチレンテレフタレートフィルム（３４）を配して、包装袋本体（２１）の低吸着性を意図したものである。
【０１３０】
また、積層体（１０）を空気層（４２）を介して２層構造とすることによって、より耐衝撃性に効果を持たせることを意図したものである。
【０１３１】
またレーザー光（４０）照射によるシール適性を付与し、また積層体（１０）中にポリアミドフィルム（３２）を配置し、さらに保護テープ（５）を図３の位置に貼ることによって、本体シール部（１２）の補強を行ない、耐衝撃性の向上を意図したものである。
【０１３２】
＜実施例６＞
包装袋本体（２１）の積層体（１０）の層構成を、図１５に示す。包装袋（２０）全体の構成については図３に示す。
【０１３３】
層構成は内容物の液体側から順に、
無機化合物蒸着ポリエチレンテレフタレートフィルム（３４）（厚さ９μｍ〜２５μｍ）／ポリエチレン（３９）（厚さ１０μｍ〜１００μｍ）／空気層（４２）／ポリエチレン（３９）（厚さ１０μｍ〜１００μｍ）／ポリアミドフィルム（３２）（厚さ１５μｍ〜２５μｍ）／ポリエチレン（３１）（厚さ１０μｍ〜１００μｍ）
である。
【０１３４】
なお、保護テープ（５）の貼り方は、本発明によるものであって、図３に示す位置である。
【０１３５】
また、無機化合物蒸着ポリエチレンテレフタレートフィルム（３４）は、無機化合物蒸着層（３８）をガスバリア層として有しており、ガスバリア層とは反対側の面への、レーザー光（４０）照射によって、一部に非晶化部分（４１）を有してシーラント層として有効である。
【０１３６】
この層構成は、内容物の液体（２３）に接する側に、無機化合物蒸着ポリエチレンテレフタレートフィルム（３４）を配して、包装袋本体（２１）の低吸着性を意図したものである。
【０１３７】
また、積層体（１０）を空気層（４２）を介して２層構造とすることによって、より耐衝撃性に効果を持たせることを意図したものである。
【０１３８】
またレーザー光（４０）照射によるシール適性を付与し、積層体（１０）中にポリアミドフィルム（３２）を配置し、さらに保護テープ（５）を図３の位置に貼ることによって、本体シール部（１２）の補強を行ない、耐衝撃性の向上を意図したものである。
【０１３９】
＜実施例７＞
包装袋本体（２１）の積層体（１０）の層構成を、図１６に示す。包装袋（２０）全体の構成については図３に示す。
【０１４０】
層構成は内容物の液体側から順に、
無機化合物蒸着ポリエチレンテレフタレートフィルム（３４）（厚さ９μｍ〜２５μｍ）／ポリアミドフィルム（３３）（厚さ１５μｍ〜２５μｍ）／ポリアミドフィルム（３６
）（厚さ１５μｍ〜２５μｍ）／ポリアミドフィルム（３２）（厚さ１５μｍ〜２５μｍ）／ポリエチレン（３１）（厚さ１０μｍ〜１００μｍ）
である。
【０１４１】
なお、保護テープ（５）の貼り方は、本発明によるものであって、図３に示す位置である。
【０１４２】
また、無機化合物蒸着ポリエチレンテレフタレートフィルム（３４）は、無機化合物蒸着層（３８）をガスバリア層として有しており、ガスバリア層とは反対側の面への、レーザー光（４０）の照射によって、一部に非晶化部分（４１）を有してシーラント層として有効である。
【０１４３】
この層構成は、内容物の液体（２３）に接する側に、無機化合物蒸着ポリエチレンテレフタレートフィルム（３４）を配して、包装袋本体（２１）の低吸着性を意図したものである。
【０１４４】
またレーザー光（４０）照射によるシール適性を付与し、また積層体（１０）中に３層のポリアミドフィルム（３３）、ポリアミドフィルム（３６）、ポリアミドフィルム（３２）を配置し、積層体自身の耐衝撃性や機械強度を高めることに加えて、さらに保護テープ（５）を図３の位置に貼ることによって、本体シール部（１２）の一層の補強を行ない、耐衝撃性の向上を意図したものである。
【０１４５】
＜実施例８＞
包装袋本体（２１）の積層体（１０）の層構成を、図１７に示す。包装袋（２０）全体の構成については図３に示す。
【０１４６】
層構成は内容物の液体側から順に、
ポリエチレンテレフタレートフィルム（３５）（厚さ９μｍ〜２５μｍ）／ポリアミドフィルム（３３）（厚さ１５μｍ〜２５μｍ）／ポリアミドフィルム（３６）（厚さ１５μｍ〜２５μｍ）／ポリアミドフィルム（３２）（厚さ１５μｍ〜２５μｍ）／ポリエチレン（３１）（厚さ１０μｍ〜１００μｍ）
である。
【０１４７】
なお、保護テープ（５）の貼り方は、本発明によるものであって、図３に示す位置である。
【０１４８】
また、ポリエチレンテレフタレートフィルム（３５）は、レーザー光（４０）の照射によって、一部に非晶化部分（４１）を有してシーラント層として有効である。
【０１４９】
この層構成は、内容物の液体（２３）に接する側に、ポリエチレンテレフタレートフィルム（３５）を配して、包装袋本体（２１）の低吸着性を意図したものである。
【０１５０】
またレーザー光（４０）照射によるシール適性を付与し、また積層体（１０）中に３層のポリアミドフィルム（３３）、ポリアミドフィルム（３６）、ポリアミドフィルム（３２）を配置し、積層体自身の耐衝撃性や機械強度を高めることに加えて、さらに保護テープ（５）を図３の位置に貼ることによって、本体シール部（１２）の一層の補強を行ない、耐衝撃性の向上を意図したものである。
【０１５１】
＜実施例９＞
包装袋本体（２１）の積層体（１０）の層構成を、図１８に示す。包装袋（２０）全体の
構成については図３に示す。
【０１５２】
層構成は内容物の液体側から順に、
無機化合物蒸着ポリエチレンテレフタレートフィルム（３４）（厚さ９μｍ〜２５μｍ）／延伸ポリブチレンテレフタレートフィルム（４３）（厚さ１５μｍ〜２５μｍ）／ポリエチレン（３１）（厚さ１０μｍ〜１００μｍ）
である。
【０１５３】
なお、保護テープ（５）の貼り方は、本発明によるものであって、図３に示す位置である。
【０１５４】
また、無機化合物蒸着ポリエチレンテレフタレートフィルム（３４）は、無機化合物蒸着層（３８）をガスバリア層として有しており、ガスバリア層とは反対側の面への、レーザー光（４０）照射によって、一部に非晶化部分（４１）を有してシーラント層として有効である。
【０１５５】
この層構成は、内容物の液体（２３）に接する側に、無機化合物蒸着ポリエチレンテレフタレートフィルム（３４）を配して、包装袋本体（２１）の低吸着性を意図したものである。
【０１５６】
またレーザー光（４０）照射によるシール適性を付与し、また積層体（１０）中にポリブチレンテレフタレートフィルム（４３）を配置し、さらに保護テープ（５）を図３の位置に貼ることによって、本体シール部（１２）の補強を行ない、耐衝撃性さらには耐熱性の向上を意図したものである。
【０１５７】
＜比較例１＞
包装袋本体（２１）の積層体（１０）の層構成を、図１０に示す。包装袋（２０）全体の構成については図１に示す。
【０１５８】
層構成は実施例１と同様である。
なお、保護テープ（５）は用いない。この部分が実施例１とは異なる。
【０１５９】
＜比較例２＞
包装袋本体（２１）の積層体（１０）の層構成を、図１１に示す。包装袋（２０）全体の構成については図１に示す。
【０１６０】
層構成は実施例２と同様である。
なお、保護テープ（５）は用いない。この部分が実施例２とは異なる。
【０１６１】
＜比較例３＞
包装袋本体（２１）の積層体（１０）の層構成を、図１２に示す。包装袋（２０）全体の構成については図１に示す。
【０１６２】
層構成は実施例３と同様である。
なお、保護テープ（５）は用いない。この部分が実施例３とは異なる。
【０１６３】
＜比較例４＞
包装袋本体（２１）の積層体（１０）の層構成を、図１３に示す。包装袋（２０）全体の構成については図１に示す。
【０１６４】
層構成は実施例４と同様である。
なお、保護テープ（５）は用いない。この部分が実施例４とは異なる。
【０１６５】
＜比較例５＞
包装袋本体（２１）の積層体（１０）の層構成を、図１４に示す。包装袋（２０）全体の構成については図１に示す。
【０１６６】
層構成は実施例５と同様である。
なお、保護テープ（５）は用いない。この部分が実施例５とは異なる。
【０１６７】
＜比較例６＞
包装袋本体（２１）の積層体（１０）の層構成を、図１５に示す。包装袋（２０）全体の構成については図１に示す。
【０１６８】
層構成は実施例６と同様である。
なお、保護テープ（５）は用いない。この部分が実施例６とは異なる。
【０１６９】
＜比較例７＞
包装袋本体（２１）の積層体（１０）の層構成を、図１６に示す。包装袋（２０）全体の構成については図１に示す。
【０１７０】
層構成は実施例７と同様である。
なお、保護テープ（５）は用いない。この部分が実施例７とは異なる。
【０１７１】
＜比較例８＞
包装袋本体（２１）の積層体（１０）の層構成を、図１７に示す。包装袋（２０）全体の構成については図１に示す。
【０１７２】
層構成は実施例８と同様である。
なお、保護テープ（５）は用いない。この部分が実施例８とは異なる。
【０１７３】
＜比較例９＞
包装袋本体（２１）の積層体（１０）の層構成を、図１８に示す。包装袋（２０）全体の構成については図１に示す。
【０１７４】
層構成は実施例９と同様である。
なお、保護テープ（５）は用いない。この部分が実施例９とは異なる。
【０１７５】
評価結果を、表１に示す。
【０１７６】
【表１】
2019172280.tif 000003
【０１７７】
表１に示す結果から明らかなように、本発明による包装袋である実施例１〜実施例９においては、評価項目である低吸着性、落下耐性のいずれにおいても、〇評価であって、全体としての評価は〇である。
【０１７８】
これに対して、本発明とは異なる形状、構成の比較例１〜比較例９の試験体においては、落下特性において内容物の量が１リットルの段階で、液漏れ乃至破袋が見られ、結果×評価である。
【０１７９】
これは実施例1〜実施例９と、比較例１〜比較例９の包装袋本体、はそれぞれに対応し
た同じ構成の積層体を用いており、内容物の液体に接する層は全て低吸着性を有するものであることから生じた結果である、すなわち、本発明による、低吸着シーラントが効果的であることが検証できたと考えられる。
【０１８０】
一方、実施例1〜実施例９と、比較例１〜比較例９との違いは保護テープを用いたが否かの違いであって、実施例1〜実施例９においては、保護テープをシールして、本体シール部の補強ができたことによって、耐落下性は内容物の液体が、１リットル〜１０リットルまで全てにおいて、液漏れ、破袋がみられなかったと考えられる。
【０１８１】
したがって、本発明によれば、プラスチックフィルムを基材とした積層体からなる、液体内容物を収納することのできる包装袋において、内容物成分の吸着、あるいは内容物への包装袋由来の成分の溶出を防止することができ、かつ耐衝撃性に優れる包装袋を提供することか可能であり、実施例においてその実現が可能であることを検証することができた。
【符号の説明】
【０１８２】
１・・・外側シール層
２・・・シーラント層
３・・・保護テープ基材層
４・・・保護テープシール層
５・・・保護テープ
６・・・周縁部の端面
７・・・外側シール部
８・・・胴部表面
１０・・・積層体
１１・・・周縁部
１２・・・本体シール部
２０・・・包装袋
２１・・・包装袋本体
２３・・・内容物の液体
３１・・・ポリエチレン
３２・・・ポリアミドフィルム
３３・・・ポリアミドフィルム
３４・・・無機化合物蒸着ポリエチレンテレフタレートフィルム
３５・・・ポリエチレンテレフタレートフィルム
３６・・・ポリアミドフィルム
３７・・・環状ポリエチレン
３８・・・無機化合物蒸着層
３９・・・ポリエチレン
４０・・・レーザー光
４１・・・非晶化部分
４２・・・空気層
４３・・・延伸ポリブチレンテレフタレートフィルム
Ａ・・・矢印
Ｂ・・・矢印
【図１】
2019172280.tif 000004
【図２】
2019172280.tif 000005
【図３】
2019172280.tif 000006
【図４】
2019172280.tif 000007
【図５】
2019172280.tif 000008
【図６】
2019172280.tif 000009
【図７】
2019172280.tif 000010
【図８】
2019172280.tif 000011
【図９】
2019172280.tif 000012
【図１０】
2019172280.tif 000013
【図１１】
2019172280.tif 000014
【図１２】
2019172280.tif 000015
【図１３】
2019172280.tif 000016
【図１４】
2019172280.tif 000017
【図１５】
2019172280.tif 000018
【図１６】
2019172280.tif 000019
【図１７】
2019172280.tif 000020
【図１８】
2019172280.tif 000021